(57)【要約】【課題】利用者の携帯電話機の電子メールアドレスに地図情報を送信して利用者を誘導するとともに各種情報を提供することができるようにする。【解決手段】利用者が保安検査場等を通過するとそこに設けられている読取装置５００−１によって利用者が所持するチケットのＩＣ半券６０２から個人ＩＤが読み取られ、管理サーバ３００にＬＡＮ等を介して送信される。管理サーバ３００は、顧客情報、地図情報、および利用者に提供すべき各種情報を保持し、その個人ＩＤに対応する顧客情報を検索し、検索した顧客情報に含まれる携帯電話機２００の電子メールアドレス宛に、利用者を誘導するための地図情報や各種情報を送信する。【選択図】図１
2006155413.tif 000002
【特許請求の範囲】
【請求項１】
イベント情報を記憶するイベント情報記憶手段と、
交通情報を記憶する交通情報記憶手段と、
顧客情報を記憶する顧客情報記憶手段と、
利用者が所持するチケットに埋め込まれたＩＣチップに記録されている個人ＩＤを読み取る個人ＩＤ読取手段と、
前記個人ＩＤに対応する前記顧客情報を前記顧客情報記憶手段から検索する顧客情報検索手段と、
前記個人ＩＤを読み取った前記個人ＩＤ読取手段の設置場所に基づいて、前記利用者の現在位置を特定する特定手段と、
前記特定手段によって特定された前記現在位置に対応する前記イベント情報または前記交通情報のうちの少なくともいずれか１つを送信する送信手段と
を備えることを特徴とする情報提供システム。
【請求項２】
地図情報を記憶する地図情報記憶手段と、
前記現在位置と、前記個人ＩＤに対応する前記顧客情報に基づいて判断された次に向かうべき場所とを含む地図情報を前記地図情報記憶手段から読み取る地図情報読取手段と、
前記現在位置から前記次に向かうべき場所までの経路を示す経路情報を生成し、前記地図情報に付加する経路情報付加手段と、
前記顧客情報に含まれる前記個人ＩＤに対応する前記利用者の携帯電話機の電子メールアドレス宛に、前記経路情報が付加された前記地図情報を含む電子メールを送信する地図情報送信手段と
をさらに備えることを特徴とする請求項１に記載の情報提供システム。
【請求項３】
前記個人ＩＤ読取手段は、空港の各ゲートに設けられ、前記利用者が各ゲートを通過する毎に前記利用者が所持する前記チケットに埋め込まれた前記ＩＣチップに記録されている前記個人ＩＤを読み取り、
前記地図情報送信手段は、前記個人ＩＤに対応する前記利用者の電子メールアドレス宛に、前記利用者を空港内において前記現在位置から前記次に向かうべき場所に案内する前記地図情報を含む電子メールを送信する
ことを特徴とする請求項１または２に記載の情報提供システム。
【発明の詳細な説明】
【技術分野】
【０００１】
本発明は情報提供システムに関し、特に、電子メールにより情報を提供する情報提供システムに関する。
【背景技術】
【０００２】
航空会社等では、航空券をインターネットで予約し購入することができるいわゆるチケットレスサービスのシステムが浸透してきている。しかしながら、搭乗の際には、ボーディングパス（航空券、チケット）が発券され、搭乗の際にその一部である半券のみが乗客の手元に残る。搭乗の際に乗務員から行き先や便名等がチェックされ、乗客は手元に残った半券を用いて座席番号の確認のみを行っている。
【０００３】
また、近年、交通機関などでＩＣ（Integrated Circuit）チップが内蔵されたＩＣカードを利用したシステムが知られている。
例えば、特許文献１にはＩＣチップを埋め込んだＩＣカード乗車券のＩＣチップに予め所定の電子メールアドレスを記憶させておき、乗客が電車の改札の入退場ゲートを通過したとき、ＩＣカード乗車券のＩＣチップに記憶されている電子メールアドレスを読み取り、その電子メールアドレス宛に、乗客が改札の入退場ゲートを通過した時刻や駅名等の通過位置を通知するシステムが開示されている。
【特許文献１】特開平１１−１６０１１号公報
【発明の開示】
【発明が解決しようとする課題】
【０００４】
しかしながら、背景技術では、ＩＣカード乗車券を用いて電車の改札口の入退場ゲートを通過した時刻や通過位置等を所定の電子メールアドレスに通知することはできるが、ＩＣカード乗車券の所持者以外に情報を送信するだけであるため、ＩＣカード乗車券の所持者が情報を活用することができないという問題があった。
【０００５】
本発明はこのような状況に鑑みてなされたものであり、飛行場や駅等において、乗客が活用できる場所に関する様々な情報を取得できるようにするものである。
【課題を解決するための手段】
【０００６】
請求項１に記載の情報提供システムは、イベント情報を記憶するイベント情報記憶手段と、交通情報を記憶する交通情報記憶手段と、顧客情報を記憶する顧客情報記憶手段と、  利用者が所持するチケットに埋め込まれたＩＣチップに記録されている個人ＩＤを読み取る個人ＩＤ読取手段と、個人ＩＤに対応する顧客情報を顧客情報記憶手段から検索する顧客情報検索手段と、個人ＩＤを読み取った個人ＩＤ読取手段の設置場所に基づいて、利用者の現在位置を特定する特定手段と、特定手段によって特定された現在位置に対応するイベント情報または交通情報のうちの少なくともいずれか１つを送信する送信手段とを備えることを特徴とする。
また、地図情報を記憶する地図情報記憶手段と、現在位置と、個人ＩＤに対応する顧客情報に基づいて判断された次に向かうべき場所とを含む地図情報を地図情報記憶手段から読み取る地図情報読取手段と、現在位置から次に向かうべき場所までの経路を示す経路情報を生成し、地図情報に付加する経路情報付加手段と、顧客情報に含まれる個人ＩＤに対応する利用者の携帯電話機の電子メールアドレス宛に、経路情報が付加された地図情報を含む電子メールを送信する地図情報送信手段とをさらに備えるようにすることができる。
また、個人ＩＤ読取手段は、空港の各ゲートに設けられ、利用者が各ゲートを通過する毎に利用者が所持するチケットに埋め込まれたＩＣチップに記録されている個人ＩＤを読み取り、地図情報送信手段は、個人ＩＤに対応する利用者の電子メールアドレス宛に、利用者を空港内において現在位置から次に向かうべき場所に案内する地図情報を含む電子メールを送信することができる
【発明の効果】
【０００７】
本発明の情報提供システムによれば、利用者の現在位置に応じて利用者が活用可能な場所に関する様々な情報を提供することができる。
また、利用者の現在位置と顧客情報とに基づいて次に向かうべき場所までの経路を示す経路情報を含む地図情報を提供するようにすれば、利用者は迷うことなく次に向かうべき場所まで移動することができる。
また、空港内において利用者を現在位置から次に向かうべき場所に案内する地図情報を提供するようにすれば、利用者は空港内において迷うことなく次に向かうべき場所に移動することができる。
【発明を実施するための最良の形態】
【０００８】
図１は、本発明の実施の形態における情報提供システムの構成例を示している。同図に示すように、本実施の形態は、利用者本人の家族等のパーソナルコンピュータ（ＰＣ）１００と、利用者本人の携帯電話機２００、および、家族の携帯電話機２１０と、管理サーバ３００と、空港のチェックインカウンタ（受付カウンタ）等に設けられた受付装置４００と、搭乗券（チケット）６００（図３）をミシン目６０３（図３）で切り離した残りのＩＣチップ６１４（図３）が埋め込まれたＩＣ半券６０２（図３）と、ＩＣ半券６０２に記録された各種データを読み取る読取装置５００−１と、読取装置５００−２とから構成されている。以下では、読取装置５００−１，５００−２を区別する必要がない場合、適宜、単に読取装置５００と記載する。
【０００９】
パーソナルコンピュータ１００と管理サーバ３００とはインターネット等のネットワークにより接続可能とされている。また、携帯電話機２００および携帯電話機２１０と管理サーバ３００とはインターネット等によって接続が可能とされている。また、受付装置４００および読取装置５００−１，５００−２はそれぞれ管理サーバ３００とＬＡＮ（Local Area Network）等によって接続されている。
【００１０】
読取装置５００−１は、例えば、空港において手荷物検査を行う所定の場所の保安検査場Ａに設置され、利用者が所持するＩＣ半券６０２に埋め込まれたＩＣチップ６１４に記憶されている個人ＩＤを読み取り、管理サーバ３００に送信するようになっている。この個人ＩＤは、後述する受付装置４００によってチケット６００の発券時にＩＣチップ６１４に記録されたものである。
【００１１】
また、読取装置５００−２は、空港の搭乗口に設置され、ＩＣ半券６０２に埋め込まれたＩＣチップ６１４に記憶されている個人ＩＤを読み取り、管理サーバ３００に送信するようになっている。
【００１２】
受付装置４００は、空港において搭乗手続を行う受付カウンタに設置され、利用者に対してチケット６００を発券するようになっている。例えば、このチケット６００の半券６０１には便名、行き先、搭乗口等の必要事項が印字され、ＩＣ半券６０２には座席番号等が印字されるとともに、個人ＩＤがＩＣ半券６０２のＩＣチップ６１４に記録されている。
【００１３】
パーソナルコンピュータ１００は、インターネット等を介して管理サーバ３００に接続し、管理サーバ３００が提供するホームページ上でチケット６００の予約を行うことができるようになっている。チケット６００を予約すると、管理サーバ３００より予約番号である個人ＩＤがインターネット等を介してパーソナルコンピュータ１００に提供される。
【００１４】
携帯電話機２００は、インターネットを介して管理サーバ３００から配信された後述するイベント情報および交通情報および地図情報を受信し、画面に表示することができるようになっている。
【００１５】
図２は、図１の管理サーバ３００の詳細な構成例を示すブロック図である。同図に示すように、管理サーバ３００は、ＬＡＮ等を介して接続された読取装置５００および受付装置４００との間で各種情報の送受信を行う送受信部３０１と、携帯電話機２００および携帯電話機２１０との間でインターネットにより各種データの送受信を行う送受信部３０２とを有している。
【００１６】
また、管理サーバ３００は、イベント情報を記憶するイベント情報記憶部３０４と、交通情報を記憶する交通情報記憶部３０５と、顧客情報を記憶する顧客情報記憶部３０６と、地図情報を記憶する地図情報記憶部３０７と、これら各部を制御する情報管理部３０３とを有している。
【００１７】
図３は、チケット６００の構成例を示している。図３（ａ）は、チケット６００の平面図であり、図３（ｂ）は、チケット６００の断面図である。図３（ａ）に示すように、チケット６００は、半券６０１とＩＣ半券６０２とから構成され、半券６０１とＩＣ半券６０２とはミシン目６０３を境にして切り離すことができるようになっている。
【００１８】
また、図３（ｂ）に示すように、チケット６００は、基材６１１と基材６１２とが粘着剤６１３によって接着された構成とされ、ＩＣ半券６０２の部分にＩＣチップ６１４が基材６１１と基材６１２との間に挟み込まれている。
【００１９】
ＩＣチップ６１４は、図示しないＣＰＵ（Central Processing Unit）、メモリ、通信制御部等とアンテナとからなり、アンテナを介して無線により読取装置５００との間でデータの送受信を行い、受信したデータをメモリに記憶したり、メモリに記憶されているデータをアンテナを介して電波により送信するようになっている。
【００２０】
このＩＣチップ６１４は、読取装置５００が発生する磁界をアンテナが移動するときに電磁誘導現象によってアンテナ内に生じる起電力によって駆動されるようになっている。
【００２１】
この例では、チケット６００の半券６０１の基材６１１の表面には、便名「０１０便」、日付「２００４／７／１０」、出発地および到着地「羽田→福岡」、出発時刻および到着時刻「１０：００  １１：３０」、搭乗口「４番搭乗口」、価格「￥□□□□」、搭乗者（利用者の氏名）「搭乗者  ○○  △△」が印字され、ＩＣ半券６０２の基材６１１の表面には、座席番号「座席  Ｎｏ．３０Ａ」が印字されている。
【００２２】
図４は、管理サーバ３００の顧客情報記憶部３０６に記憶されている顧客情報の一例を示している。この例では、顧客情報は、送信先の電子メールアドレスと、送信情報種別とから構成される。例えば、送信先Ａ（本人）として電子メールアドレス「○○○＠□□□．ｎｅ．ｊｐ」が記憶され、その送信先に送信すべき情報の種別（送信情報種別）として、「イベント、交通、地図情報」が記憶されている。
【００２３】
また、送信先Ｂ（出発地の家族など）として電子メールアドレス「ＸＸＸ＠△△△．ｃｏ．ｊｐ」が記憶され、その送信先に送信すべき情報の種別として「出発情報、到着情報」が記憶されている。さらに、送信先Ｃ（到着地の親戚など）として電子メールアドレス「☆☆☆＠−−−．ｃｏ．ｊｐ」が記憶され、その送信先に送信すべき情報の種別として「出発情報、到着情報」が記憶されている。
【００２４】
図５は、利用者が到着地においてその空港の出口等に設けられた読取装置５００を通過したときに、管理サーバ３００より提供された各種情報が表示された利用者の携帯電話機２００の表示部２０１の画面例を示している。
【００２５】
この例では、到着地のイベント情報として「８／１  ○○市  花火大会」が表示され、交通情報として「◇◇号線  □方面  渋滞１０Ｋｍ」および「△線  ×方面  １時間の遅れ」が表示されている。このイベント情報および交通情報は、管理サーバ３００から搭乗者である利用者本人の携帯電話機２００の電子メールアドレス宛に送信されてきたものである。
【００２６】
図６は、利用者が空港の搭乗口を通過したときに、管理サーバ３００より提供された出発情報が表示された、例えば、利用者の家族のパーソナルコンピュータ１００の表示部の画面例を示している。同様に、家族の携帯電話機２１０にも出発情報を表示することができる。
【００２７】
この例では、利用者（この場合、Ａさん）が搭乗したことを示す出発情報として「Ａさんは羽田空港１０：００発福岡行きの０１０便に搭乗されました。福岡空港到着は、１１：３０の予定です。」が表示されている。
【００２８】
図７は、管理サーバ３００から利用者の携帯電話機２００の電子メールアドレスに送信されてきた電子メールが表示された表示部２０１の画面例を示している。この例では、携帯電話機２００の電子メールアドレスに地図情報が送信され、表示部２０１に地図情報が表示されている。
【００２９】
この地図情報は、保安検査場Ａおよび４番搭乗口を含む地図と、保安検査場Ａから４番搭乗口までの経路を示す矢印とからなる。この地図情報が利用者の携帯電話機２００の表示部２０１の画面に表示されると、利用者は、この地図情報の矢印で示された経路に沿って移動するだけで、次の目的地（この例では４番搭乗口）に辿り着くことができる。
【００３０】
次に、図８のフローチャートを参照して、利用者が空港において搭乗手続を行ってから目的地に到着するまでの往路における本実施の形態の動作について説明する。まず、利用者は、受付カウンタにおいて、予めパーソナルコンピュータ１００等を用いてチケット６００を予約した際に取得した個人ＩＤを受付担当者に提示する。受付担当者は、利用者より提示された個人ＩＤを受付装置４００の図示しない操作部を操作してキー入力する。
【００３１】
これにより、ステップＳ９０１において、受付装置４００は、受付担当者によってキー入力された個人ＩＤを記憶し、ステップＳ９０２において、記憶した個人ＩＤをＬＡＮ等のネットワークを介して管理サーバ３００に送信する。
【００３２】
管理サーバ３００の送受信部３０１は、ステップＳ９１１において、受付装置４００よりＬＡＮ等のネットワークを介して送信されてきた個人ＩＤを受信すると、受信した個人ＩＤを情報管理部３０３に供給する。情報管理部３０３は、送受信部３０１より供給された個人ＩＤに対応する予約情報を顧客情報記憶部３０６より検索する。
【００３３】
顧客情報記憶部３０６には顧客情報データベース（ＤＢ）が構築されており、利用者がインターネットを介して管理サーバ３００が提供するホームページにアクセスしてチケット６００を予約したときに、情報管理部３０３の制御下、利用者から送信されてきた利用者の氏名や電子メールアドレス等の利用者情報と利用者が予約したチケット６００の内容とからなる予約情報と、管理サーバ３００が利用者に対して通知した個人ＩＤ（予約番号）とが対応付けられ、顧客情報データベースに顧客情報として記憶されている。
【００３４】
次に、ステップＳ９１２において、管理サーバ３００の情報管理部３０３は、個人ＩＤを検索キーにして顧客情報記憶部３０６の顧客情報データベースを検索した結果として得られた予約情報を送受信部３０１を介して受付装置４００にＬＡＮ等のネットワークを介して送信する。
【００３５】
この予約情報を受け取った受付装置４００は、ステップＳ９０３において、予約情報を受付装置４００の図示しない表示装置の画面に表示する。次に、受付カウンタの受付担当者は、利用者の希望に基づいて座席番号を決定し、入力するとともに、利用者が申告した利用者およびその家族が空港から提供される各種情報を受け取る利用者本人の携帯電話機２００や家族の携帯電話機２１０またはパーソナルコンピュータ１００等の電子メールアドレスを入力する。
【００３６】
あるいは、座席番号や電子メールアドレスを予約時に入力して顧客情報として顧客情報記憶部３０６の顧客情報データベースに記憶させておくこともできる。その場合、受付装置４００は、管理サーバ３００から利用者が予約した座席番号や電子メールアドレスを取得し、画面に表示することができるので、受付カウンタ４００では、画面に表示された座席番号や電子メールアドレスを利用者に提示してその可否を確認するだけでよい。
【００３７】
次に、ステップＳ９０４において、受付装置４００は、入力された座席番号および電子メールアドレス等を管理サーバ３００に送信する。その後、ステップＳ９０５において、予約内容を印字するとともに、ＩＣ半券６０２に個人ＩＤを記録したチケット６００を発券する。
【００３８】
この例の場合、図３に示したように、チケット６００の半券６０１の基材６１１の表面には、便名「０１０便」、日付「２００４／７／１０」、出発地および到着地「羽田→福岡」、出発時刻および到着時刻「１０：００  １１：３０」、搭乗口「４番搭乗口」、価格「￥□□□□」、搭乗者（利用者の氏名）「搭乗者  ○○  △△」が印字され、ＩＣ半券６０２の基材６１１の表面には、座席番号「座席  Ｎｏ．３０Ａ」が印字される。また、ＩＣ半券６０２には個人ＩＤが記録されている。
【００３９】
管理サーバ３００の情報管理部３０３は、ステップＳ９１３において、受付装置４００よりステップＳ９０４において送信されてきた座席番号および電子メールアドレスを、ステップＳ９０２において送信されてきた個人ＩＤと対応付けて顧客情報記憶部３０６の顧客情報データベースに顧客情報として格納する。
【００４０】
一方、利用者が図５に示した保安検査場Ａを通過するとき、ステップＳ９２１において、読取装置５００−１によりチケット６００のＩＣ半券６０２のＩＣチップ６１４に記憶されている個人ＩＤが読み取られる。
【００４１】
次に、ステップＳ９２２において、読取装置５００−１は、読み取った個人ＩＤをＬＡＮ等のネットワークを介して管理サーバ３００に送信する。
【００４２】
管理サーバ３００の送受信部３０１は、ステップＳ９１４において、読取装置５００−１より送信されてきた個人ＩＤを受信すると、この個人ＩＤを情報管理部３０３に供給する。情報管理部３０３は、この個人ＩＤを検索キーにして、顧客情報記憶部３０６の顧客情報データベースからこの個人ＩＤを含む顧客情報を検索する。その結果、上記個人ＩＤを含む顧客情報が得られる。上述したように、その顧客情報に含まれる予約情報には利用者本人の電子メールアドレスが含まれる。
【００４３】
次に、ステップＳ９１５において、管理サーバ３００の情報管理部３０３は、個人ＩＤが読取装置５００−１から送信されてきたことから、この例の場合、利用者が読取装置５００−１が設置されている保安検査場Ａを通過したと判断する。また、検索された顧客情報に含まれる予約情報に基づいてその個人ＩＤに対応する利用者が次に向かうべき搭乗口は４番搭乗口であると判断する。
【００４４】
その後、保安検査場Ａから４番搭乗口までの経路を示す経路情報を含む地図情報を地図情報記憶部３０７から読み出し、読み出した地図情報を含む電子メールを上記個人ＩＤに対応する予約情報に含まれる利用者本人の電子メールアドレス宛に送受信部３０２を介して送信する。
【００４５】
これにより、この電子メールを受け取った利用者の携帯電話機２００の表示部２０１には、図７に示すように、保安検査場Ａと４番搭乗口を含むエリアと、保安検査場Ａから次に向かうべき場所である４番搭乗口に通じる経路を示す矢印からなる地図情報が表示されるので、利用者は矢印通りに移動するだけで目的とする４番搭乗口に辿り着くことができる。この経路を示す矢印は、情報管理部３０３が利用者の現在位置（この場合、保安検査場Ａ）と次に向かうべき場所（この場合、４番搭乗口）に基づいて生成し、地図情報に付加することもできるし、予め取り得る全ての経路に対応する矢印を含む地図情報を地図情報記憶部３０７に記憶させておき、上記経路に対応する矢印を含む地図情報を読み出すようにすることもできる。（矢印はリアルタイムで作成する方法（請求項２）の他に、予め矢印の付いた地図を経路毎に用意する方法があると思いましたのでこのように説明を追加しました。）
【００４６】
利用者が４番搭乗口に移動し、４番搭乗口を通過すると、ステップＳ９３１において、読取装置５００−２によって利用者が所持するチケット６００のＩＣ半券６０２のＩＣチップ６１４に記憶されている個人ＩＤが読み取られる。
【００４７】
次に、ステップＳ９３２において、読取装置５００−２は、ステップＳ９３１においてＩＣ半券６０２のＩＣチップ６１４から読み取った個人ＩＤをＬＡＮ等のネットワークを介して管理サーバ３００に送信する。
【００４８】
管理サーバ３００の送受信部３０１は、ステップＳ９１６において、読取装置５００−２より送信されてきた個人ＩＤを受信すると、この個人ＩＤを情報管理部３０３に供給する。情報管理部３０３は、この個人ＩＤを検索キーにして、顧客情報記憶部３０６の顧客情報データベースからこの個人ＩＤを含む顧客情報を検索する。その結果、上記個人ＩＤを含む顧客情報が得られる。上述したように、その顧客情報に含まれる予約情報には利用者本人の携帯電話機２００の電子メールアドレスの他、家族の携帯電話機２１０またはパーソナルコンピュータ１００の電子メールアドレスも含まれる。
【００４９】
次に、ステップＳ９１７において、管理サーバ３００の情報管理部３０３は、個人ＩＤが読取装置５００−２から送信されてきたことから、この例の場合、利用者が読取装置５００−２が設置されている４番搭乗口を通過したと判断する。
【００５０】
その後、情報管理部３０３は、利用者本人宛のメッセージを生成して利用者本人の電子メールアドレス宛に送信する。例えば、「搭乗の際は、携帯電話機の電源をお切りください。」や、「到着地福岡の天気は晴れ、気温は２５℃です。」等のメッセージを生成して利用者本人の電子メールアドレス宛に送信する。
【００５１】
また、家族宛に出発情報を知らせるメッセージを生成し、そのメッセージを家族の携帯電話機２１０の電子メールアドレスやパーソナルコンピュータ１００の電子メールアドレス宛に送信する。例えば、図６に示すように、家族宛に出発情報を知らせるメッセージ「Ａさんは羽田空港１０：００発福岡空港行きの０１０便に搭乗されました。」や、メッセージ「福岡空港到着は、１１：３０の予定です。」等を生成して家族の携帯電話機２１０やパーソナルコンピュータ１００等の電子メールアドレス宛に送信する。
【００５２】
また、チケット６００を購入する毎にポイントが貯まるポイントシステムと連動している場合には、例えば、利用者本人の携帯電話機２００の電子メールアドレス宛に「今回の到着地までのポイント数は○○ポイントです。」等のメッセージを生成し、送信することもできる。その場合、ポイント数は、利用者毎に顧客情報記憶部３０６に個人ＩＤと対応付けて記憶させておき、利用者がチケット６００を購入する毎に更新されるようにしておく。
【００５３】
また、乗り換えをする場合には、経由地までのポイント数を通知し、その先は新たに次の経由地または到着地までのポイント数を通知するようにすることができる。その後、利用者は飛行機に搭乗し、ＩＣ半券６０２に印字された座席番号の座席に移動する。
【００５４】
また、手荷物を預けた場合に、利用者の電子メールアドレス宛に、利用者が搭乗した飛行機に荷物が実際に積み込まれたか否かを通知するメッセージを送信することができる。実際に荷物が積み込まれた場合には、例えば次のようなメッセージ「お預かりの２個の荷物は０１０便に間違いなく積み込まれました。」等を送信することができる。
【００５５】
その場合、各荷物の荷札に埋め込まれた図示しないＩＣチップには、それぞれ利用者の個人ＩＤと出発地および到着地の空港を示す荷札情報が記録される。このＩＣチップに記録された情報は荷物を積み込むためのゲート等に設けられた読取装置５００によって読み取られ、管理サーバ３００に送信される。管理装置３００の情報管理部３０３は、読取装置５００から送信されてきた荷札情報を顧客情報記憶部３０６の対応する個人ＩＤの顧客情報に対応付けて記憶させておく。
【００５６】
利用者の搭乗した飛行機が目的地に到着し、到着地において利用者が出口ゲートを通過すると、そこに設けられた読取装置５００によって利用者が所持するＩＣ半券６０２のＩＣチップ６１４に記憶されている個人ＩＤが読み取られ、管理サーバ３００に送信される。
【００５７】
管理サーバ３００の情報管理部３０３は、読取装置５００から送信されてきた個人ＩＤを検索キーにして、顧客情報記憶部３０６の顧客情報データベースから顧客情報を検索する。次に、検索結果として得られた顧客情報に含まれる利用者本人の電子メールアドレス宛に、イベント情報記憶部３０４から読み出した到着地でのイベント情報や交通情報が送信される。
【００５８】
例えば、到着地で到着日以降に予定されているイベント情報を示すメッセージ「８／１  ○○市  花火大会」が送信され、交通情報を示すメッセージ「◇◇号線  □方面  渋滞１０Ｋｍ」および「△線  ×方面  １時間の遅れ」が送信される。その結果、利用者の携帯電話機２００の表示部２０１には図５に示すような画面が表示される。
【００５９】
また、検索結果として得られた上記顧客情報に含まれる利用者の家族の携帯電話機２１０やパーソナルコンピュータ１００等の電子メールアドレス宛に到着情報を知らせるメッセージが送信される。例えば、次のようなメッセージ「○○様が福岡空港の３番到着ターミナルに到着しました。」が送信される。その結果、利用者の家族の携帯電話機２１０やパーソナルコンピュータ１００の画面には、上記到着情報を知らせるメッセージが表示される。
【００６０】
また、このとき、利用者本人の携帯電話機２００の電子メールアドレス宛に、本日までの累計ポイント数を通知する例えば次のようなメッセージ「本日までの累計ポイント数は○○ポイントです。」を送信することができる。このメッセージは携帯電話機２００の表示部２０１に表示される。
【００６１】
さらに、利用者本人の携帯電話機２００の電子メールアドレス宛に、利用者の荷物のお預かりナンバ（Ｎｏ．）を通知する例えば次のようなメッセージ「お預かりしているお荷物のお預かりナンバは○○番です。」を送信することができる。利用者は、携帯電話機２００の表示部２０１に表示された荷物のお預かりナンバに基づき、自分の荷物を探し出し、受け取ることができる。
【００６２】
このお預かりナンバは、受付カウンタにおいて、または搬入ゲートにおいて荷札に埋め込まれたＩＣチップに記録することができる。このお預かりナンバは、管理サーバ３００に送信され、荷札のＩＣチップに記録されている個人ＩＤと同一の個人ＩＤを有する顧客情報に関連づけて顧客情報記憶部３０６に記憶されるようにすることができる。
【００６３】
従って、管理サーバ３００の情報管理部３０３は、利用者の個人ＩＤを検索キーにして、その利用者のお預かりナンバを顧客情報記憶部３０６の顧客情報データベースから検索して取得することができ、そのお預かりナンバを通知するメッセージを利用者本人の電子メールアドレス宛に送信することができる。
【００６４】
利用者宛のメッセージは、情報管理部３０３によって生成され、送受信部３０２の制御により利用者本人の携帯電話機２００の電子メールアドレス宛に送信される。一方、家族宛のメッセージは、家族の携帯電話機２１０の電子メールアドレス宛に送信される場合、送受信部３０２の制御により家族の携帯電話機２１０の電子メールアドレス宛に送信される。また、家族のパーソナルコンピュータ１００の電子メールアドレス宛に送信される場合、送受信部３０１の制御によりインターネット等のネットワークを介して家族のパーソナルコンピュータ１００の電子メールアドレス宛に送信される。
【００６５】
次に、図９のフローチャートを参照して、復路における本実施の形態の動作について説明する。なお、図８のフローチャートを参照して説明した往路の場合と同様の処理には同一のステップ番号を付し、その説明は適宜省略する。ステップＳ９０１乃至ステップＳ９１２の処理は、図８の場合と同様である。
【００６６】
ステップＳ９５３においては、管理サーバ３００より送信されてきた予約情報を受け取った受付装置４００は、この予約情報を受付装置４００の図示しない表示装置の画面に表示する。次に、受付カウンタの受付担当者は、利用者の希望に基づいて座席番号を決定し、入力する。利用者およびその家族が空港から提供される各種情報を受け取る携帯電話機２００や携帯電話機２１０またはパーソナルコンピュータ１００等の電子メールアドレスは、往路のチケット６００購入時に既に顧客情報記憶部３０６の顧客情報データベースに登録されているので、ここでは入力する必要はない。
【００６７】
次に、ステップＳ９５４において、受付装置４００は、入力された座席番号を管理サーバ３００に送信する。往路においては、座席番号のみを送信し、電子メールアドレスを送信する必要はない。その後、ステップＳ９０５において、予約情報を印字し、かつ、ＩＣ半券６０２に個人ＩＤを記録したチケット６００を発券する。
【００６８】
管理サーバ３００の情報管理部３０３は、ステップＳ９６３において、ステップＳ９５４において受付装置４００より送信されてきた座席番号のみを顧客情報記憶部３０６の顧客情報データベースに顧客情報として格納する。
【００６９】
読取装置５００−１におけるステップＳ９２１およびステップＳ９２２の処理、管理サーバ３００におけるステップＳ９１４乃至ステップＳ９１７の処理、および読取装置５００−２におけるステップＳ９３１およびステップＳ９３２の処理は、図８のフローチャートを参照して上述した場合と基本的に同様である。
【００７０】
ただし、復路においては、ステップＳ９１７において、情報管理部３０３は、到着地である羽田に合わせて、利用者本人宛のメッセージ「到着地羽田の天気は晴れ、気温は２５℃です。」を生成して利用者本人の携帯電話機２００の電子メールアドレス宛に送信する。これにより、利用者本人の携帯電話機２００の表示部２０１に到着地に対応した上記メッセージが表示される。
【００７１】
また、復路においては、家族宛のメッセージ「Ａさんは福岡空港１０：００発羽田空港行きの０２０便に搭乗されました。」や、メッセージ「羽田空港到着は、１１：３０の予定です。」等を生成して家族の携帯電話機２１０やパーソナルコンピュータ１００の電子メールアドレス宛に送信する。これにより、家族の携帯電話機２１０またはパーソナルコンピュータ１００の画面に上記メッセージが表示される。
【００７２】
また、例えば、到着地で予定されているイベント情報を示すメッセージ「８／３  ○○区  花火大会」や交通情報を示すメッセージ「◇◇号線  □方面  渋滞１０Ｋｍ」および「△線  ×方面  １時間の遅れ」が利用者本人の携帯電話機２００の電子メールアドレス宛に送信される。これにより、利用者の携帯電話機２００の表示部２０１に上記メッセージが表示される。
【００７３】
また、検索結果として得られた上記顧客情報に含まれる利用者の家族の携帯電話機２１０やパーソナルコンピュータの電子メールアドレス宛に例えば次のようなメッセージ「○○様が羽田空港の３番到着ターミナルに到着しました。」を送信する。その結果、家族の携帯電話機２１０の画面には上記メッセージが表示される。その他は図８のフローチャートを参照して上述した往路の場合と同様である。
【００７４】
以上説明したように、チケット６００のＩＣ半券６０２のＩＣチップ６１４に個人ＩＤを記憶させておくことにより、出発地および到着地の空港において利用者がどのゲートを通過したかをリアルタイムで把握することができる。これにより、利用者を適切に誘導することができる。また、個人ＩＤを用いて手荷物の管理も行うことができる。さらに、利用者やその家族に対して適切なタイミングで適切な情報を提供することができる。
【００７５】
なお、上記実施の形態は、本発明を空港に適用する場合について説明したが、その他の交通機関に適用することもできる。
【００７６】
また、上記実施の形態の構成及び動作は例であって、本発明の趣旨を逸脱しない範囲で適宜変更することができることは言うまでもない。
【図面の簡単な説明】
【００７７】
【図１】本発明の一実施の形態の構成例を示すブロック図である。
【図２】図１の管理サーバの構成例を示すブロック図である。
【図３】チケットの構成例を示す図である。
【図４】顧客情報記憶部に記憶される顧客情報の例を示す図である。
【図５】イベント情報が表示された携帯電話機の画面例を示す図である。
【図６】出発情報が表示されたパーソナルコンピュータの画面例を示す図である。
【図７】地図情報が表示された携帯電話機の画面例を示す図である。
【図８】本実施の形態の往路の動作を説明するためのフローチャートである。
【図９】本実施の形態の復路の動作を説明するためのフローチャートである。
【符号の説明】
【００７８】
１００  パーソナルコンピュータ（ＰＣ）
２００，２１０  携帯電話機
２０１  表示部
３００  管理サーバ
３０１  送受信部
３０２  送受信部
３０３  情報管理部
３０４  イベント情報記憶部
３０５  交通情報記憶部
３０６  顧客情報記憶部
３０７  地図情報記憶部
４００  受付装置
５００，５００−１，５００−２  読取装置
６００  チケット
６０１  半券
６０２  ＩＣ半券
６０３  ミシン目
６１１，６１２  基材
６１３  粘着剤
６１４  ＩＣチップ
【図１】
2006155413.tif 000003
【図２】
2006155413.tif 000004
【図３】
2006155413.tif 000005
【図４】
2006155413.tif 000006
【図５】
2006155413.tif 000007
【図６】
2006155413.tif 000008
【図７】
2006155413.tif 000009
【図８】
2006155413.tif 000010
【図９】
2006155413.tif 000011